(57)【要約】      （修正有）【課題】支持／吊り物品の底部に配置されるベース、所定の角度でベースの上に配置され、かつ９０度の角度まで曲がることができるラック、および／または少なくとも１つの固定手段を備えるアクセサリとして作用する支持／吊り装置を提供する。【解決手段】支持／吊り物品の底部に配置され、かつ支持／吊り物品によって作動される構成部品を含むベースと、ベースの背面の両側に別々に配置される旋回溝と、ベースを選択的に回転させ、および固定するために旋回溝に装備されるヒンジと、バー状の物品を曲げることによって形成され、かつ支持／吊り物品の外形より小さいサイズを有するラックとを備え、ラックの両開端部が、ヒンジに結合されることからなる。【選択図】図１
0003118022.tif 000002
【実用新案登録請求の範囲】
【請求項１】
支持／吊り物品の底部に配置され、かつ前記支持／吊り物品によって作動される構成部品を含むベースと、前記ベースの背面の両側に別々に配置される旋回溝と、前記ベースを選択的に回転させ、および固定するために前記旋回溝に装備されるヒンジと、
バー状の物品を曲げることによって形成され、かつ前記支持／吊り物品の外形より小さいサイズを有するラックとを備え、前記ラックの両開端部が、前記ヒンジに結合されることを特徴とする支持／吊り装置。
【請求項２】
前記支持／吊り装置は、さらに少なくとも一つの固定手段を備え、この固定手段は固定プレートであり、その底部は延長されて延長プレートを形成し、当該固定プレートと当該延長プレートとの間に前記ラックの外形より小さくない吊りギャップを形成し、かつ当該固定手段が、望ましい吊り位置に固定される構成部分を備えることを特徴とする請求項１に記載の支持／吊り装置。
【請求項３】
前記ラックが、管状本体を曲げることによって形成されることを特徴とする請求項１に記載の支持／吊り装置。
【請求項４】
前記ラックが、柱状または円筒本体を曲げることによって形成されることを特徴とする請求項１に記載の支持／吊り装置。
【請求項５】
前記ラックが、前記ラックの端部セクション以外の線形セクションにおいて装備されたバインダを含むことを特徴とする請求項１に記載の支持／吊り装置。
【請求項６】
前記ラックが、前記ラックの端部セクションの上に配置された端部カバーを含むことを特徴とする請求項１に記載の支持／吊り装置。
【請求項７】
前記ラックが、前記ラックの端部を対称的かつ線形に延長し、後方に延長して湾曲するように曲げ、次いで線形に延長することによって形成されるループであることを特徴とする請求項１に記載の支持／吊り装置。
【請求項８】
前記固定手段が、主要本体の両側から別々に延長されたＬ形ウィング・プレートと、吊り位置を固定するための穴とを含むことを特徴とする請求項２に記載の支持／吊り装置。
【請求項９】
２つの固定手段を備えることを特徴とする請求項１に記載の支持／吊り装置。
【請求項１０】
前記支持／吊り物品がテレビジョンであることを特徴とする請求項１に記載の支持／吊り装置。
【考案の詳細な説明】
【技術分野】
【０００１】
本考案は、支持／吊り装置に関し、より具体的には、装置が下方に回転されるときの支持機能、および装置が上方に回転されるときの吊り機能を提供する２重使用装置に関し、装置は、より良好な吊り効果を有するように固定手段に接続することができる支持／吊り装置に関する。
【背景技術】
【０００２】
吊りおよび支持装置は、我々の日常生活において、およびより具体的には情報機器または電子機器について、広く使用されている。関連する先行技術としてはモニタ、テレビジョン、ステレオなどの機器に使用される吊りおよび支持装置が、一般的な例である。これらの機器は、卓上もしくは床の上に配置されるとき、またはその適用のために壁に吊るされるとき、支持を必要とするからである。
【０００３】
この機能に加えて、その吊りおよび支持装置は、異なる機器の外見に適合する外面をも考慮する。結局、吊りおよび支持装置には、常時、装備された支持／吊らされる物品が装着されている。したがって、アクセサリとして作用する吊りおよび支持装置は、看過されるべきではない。
【考案の開示】
【考案が解決しようとする課題】
【０００４】
現在の考案の欠点を考慮して、本考案の考案者は、電子および電気機器に関係する産業の長年の経験に基づいて、広範な研究を実施し、最終的に、本考案による支持／吊り装置を案出した。
したがって、本考案の主要な目的は、支持／吊り物品の底部に配置されるベース、所定の角度でベースの上に配置され、かつ９０度の角度まで曲がることができるラック、および／または少なくとも１つの固定手段を備えるアクセサリとして作用する支持／吊り装置を提供することである。
【課題を解決するための手段】
【０００５】
前記目的を達成するため、本考案の支持／吊り装置は、
支持／吊り物品の底部に配置され、かつ前記支持／吊り物品によって作動される構成部品を含むベースと、前記ベースの背面の両側に別々に配置される旋回溝と、前記ベースを選択的に回転させ、および固定するために前記旋回溝に装備されるヒンジと、
バー状の物品を曲げることによって形成され、かつ前記支持／吊り物品の外形より小さいサイズを有するラックとを備え、前記ラックの両開端部が、前記ヒンジに結合されることからなる。
又、前記支持／吊り装置は、さらに少なくとも一つの固定手段を備え、この固定手段は固定プレートであり、その底部は延長されて延長プレートを形成し、当該固定プレートと当該延長プレートとの間に前記ラックの外形より小さくない吊りギャップを形成し、かつ当該固定手段が、望ましい吊り位置に固定される構成部分を備えることが好適である。
又、前記ラックが、管状本体を曲げることによって形成されることが好適である。
又、前記ラックが、柱状または円筒本体を曲げることによって形成されることが好適である。
又、前記ラックが、前記ラックの端部セクション以外の線形セクションにおいて装備されたバインダを含むことが好適である。
又、前記ラックが、前記ラックの端部セクションの上に配置された端部カバーを含むことが好適である。
又、前記ラックが、前記ラックの端部を対称的かつ線形に延長し、後方に延長して湾曲するように曲げ、次いで線形に延長することによって形成されるループであることが好適である。
又、前記固定手段が、主要本体の両側から別々に延長されたＬ形ウィング・プレートと、吊り位置を固定するための穴とを含むことが好適である。
又、２つの固定手段を備えることが好適である。
さらに、前記支持／吊り物品がテレビジョンであることが好適である。
【考案の効果】
【０００６】
したがって、本考案の実施の態様は、遮蔽効果（ｓｈｅｌｔｅｒｉｎｇ  ｅｆｆｅｃｔ）を達成することができる。本考案は、簡単な構成部品、容易な動作、および優美な外見を特徴とするので、支持／吊り物品は、美的な外観を有して保持することができ、これは、支持／吊り装置の大きなな進歩である。
【考案を実施するための最良の形態】
【０００７】
以下、本考案について、本考案の様々な実施の形態を示す添付の図面を参照して、より詳細に記述する。
【０００８】
図を参照すると、ベース１が、音声出力および制御キーの装備を含むが、これに限定されない様々な機能を実施するために、支持／吊り物品の底部に配置される。しかし、これらは従来の技術であり、ここでは記述しない。
【０００９】
旋回溝１１が、ラック２を受けるために、ベース１の両側に別々に、かつそれに近接して配置され、停留ヒンジ（図には示されていない）が、ラック２が装備された後、ラック２を回転させる、または固定するために、内部に装備される。停留ヒンジは、従来の技術であり、ノートブック・コンピュータの回転軸を含むが、これに限定されるものではない。
【００１０】
再び図を参照すると、ラック２は、湾曲された管状、柱状、または円筒の形態にあり、上述のヒンジに旋回式に結合され、かつ中央に向かって後方に線形に延長され、わずかに湾曲した弓形に曲げられ、ループを提供するように一体的に結合される両端部を有する。ラック２の全体的なサイズは、支持／吊り物品より小さく、端部以外の線形セクションは、好都合な動作および支持を提供するように、スリーブ２２で包まれる。ラック２の端部は、ベース１に関して端部がヒンジと共に旋回式に回転するように、包む、またはねじ留めすることによって、ヒンジに接続することができる。さらに、接続セクションは、隠される、または美的な外観を与えることが好ましく、したがって、端部カバー２３が装備されることが可能である。
【００１１】
図１を参照すると、ラック２は、支持／吊り物品を支持する状況を構成するように、旋回式に回転され、水平方向において固定される。使用者または観察者が前方に立っている場合、背面に配置されるラック２は見えない。図２では、ラック２は、折りたたまれ、約９０度に旋回式に回転されており、それにより、ラック２と支持／吊り物品との間のギャップを大きく低減することができる。
【００１２】
図３を参照すると、本考案の支持／吊り装置は、少なくとも１つの固定手段３をさらに備え、これは、固定プレート３１であり、その底部は延長されて、固定プレート３１と共に吊りギャップ３２の管状、柱状、または円筒の延長プレート３３を形成する。この実施の形態では、固定プレート３１の両側は、Ｌ形のウィング・プレート３４に延長され、このウィング・プレート３４は、延長プレートとは異なる方向に垂直に延長され、壁表面を含むが、これに限定されない吊り位置を固定するための穴を含む。この実施の形態では、２つの固定手段３が使用される。
【００１３】
図４において、本考案のラック２は、固定手段３の吊りギャップ３２の中に装備され、したがって、支持／吊り物品は、吊り状況にある。ラック２および固定手段３は、前面から見ることはできず、したがって、支持／吊り装置の簡素でよく整った外見を維持する。
【００１４】
図５において、本考案は、支持／吊り装置を壁に吊るすために使用され、したがって、支持／吊り物品は、視角を適合させるためにラック２によって調節された角度に停留して維持される。したがって、観察者は、ある仰角において本考案の支持／吊り装置の背面を見ることはできない。
【００１５】
したがって、本考案の実施態様は、遮蔽効果（ｓｈｅｌｔｅｒｉｎｇ  ｅｆｆｅｃｔ）を達成することができる。本考案は、簡単な構成要素、容易な動作、および優美な外見を特徴とするので、支持／吊り物品は、美的な外観を有して保持することができ、これは、支持／吊り装置の主要な進展である。
【００１６】
上記の記述をまとめると、本考案は、実用新案登録出願の要件に合致し、実用新案登録出願のために提出される。しかし、記述および添付の図面は、本考案の好ましい実施の形態を記述するために使用され、本考案はそれに限定されると理解されるべきではない。反対に、様々な修正ならびに同様の構成および手続きを網羅することを意図しており、したがって、添付の請求項の範囲は、すべてのそのような修正ならびに同様の構成および手続きを包含するように、最も広範に解釈されるべきである。
【図面の簡単な説明】
【００１７】
【図１】本考案の支持／吊り装置の側面図である。
【図２】本考案の支持／吊り装置の前面図である。
【図３】本考案の固定手段を有する支持／吊り装置の分解図である。
【図４】本考案の固定手段が装備されている支持／吊り装置の概略図である。
【図５】本考案の好ましい実施の形態による支持／吊り装置の角度を調節する概略図である。
【符号の説明】
【００１８】
１  ベース
２  ラック
３  固定手段
２２  スリーブ
２３  端部カバー
３１  固定プレート
３２  吊りギャップ
３３  延長プレート
３４  Ｌ形ウィング・プレート
【図１】
0003118022.tif 000003
【図２】
0003118022.tif 000004
【図３】
0003118022.tif 000005
【図４】
0003118022.tif 000006
【図５】
0003118022.tif 000007